(57)【要約】【課題】電池パックの改造を検出する。【解決手段】電池パック１に対する充放電が開始されると、制御部１４は、電圧検出部１２および電流検出部１３から供給される電圧値および電流値に基づき算出された最新のＦＣＣの値であるＣnewと、メモリ１５に記憶されている前回のＦＣＣの値であるＣpreとに基づきＦＣＣの変動量ΔＣを算出する。また、ＣnewおよびＣpreが算出された際の負荷量および温度の情報に基づきテーブルを参照して、同一条件における差分値を用いて、推定されたＦＣＣの変動量を算出する。そして、実際のＦＣＣの変動量ΔＣと、推定されたＦＣＣの変動量とを比較し、ΔＣが推定されたＦＣＣの変動量の範囲よりも大きい場合には、電池セルが交換されたと判断して改造を検出する。【選択図】図５
2008060032.tif 000002
【特許請求の範囲】
【請求項１】
１または複数の電池と、
上記電池の電圧、充放電電流および温度を検出する検出部と、
上記電圧および上記充放電電流に基づき、上記電池の満充電容量を算出する制御部と、
外部に接続された負荷の負荷量および上記温度と満充電容量の差分とが関連付けられたテーブルと、上記制御部で算出された満充電容量とを記憶する記憶部と
を有し、
上記制御部は、
最新の満充電容量および該満充電容量の前回に算出された満充電容量に基づき、実際の満充電容量の変動量を算出し、
上記記憶部に記憶された上記テーブルを参照して、推定された満充電容量の変動量を算出し、
上記実際の満充電容量の変動量と上記推定された満充電容量の変動量とを比較し、
上記実際の満充電容量の変動量が上記推定された満充電容量の変動量よりも大きい場合には、改造されていることを検出する
ことを特徴とする電池パック。
【請求項２】
請求項１に記載の電池パックにおいて、
上記制御部は、
上記改造を検出したことを示す情報を上記記憶部に記憶させる
ことを特徴とする電池パック。
【請求項３】
請求項１に記載の電池パックにおいて、
上記充放電電流を制御する充電制御ＦＥＴおよび放電制御ＦＥＴを有し、
上記制御部は、
上記改造を検出した場合に、上記充電制御ＦＥＴおよび上記放電制御ＦＥＴを制御して、上記電池に対する充放電を禁止する
ことを特徴とする電池パック。
【請求項４】
請求項１に記載の電池パックにおいて、
上記改造の検出結果を表示する表示部を有し、
上記制御部は、
上記改造を検出した場合に、上記表示部に上記改造の警告を表示するように制御する
ことを特徴とする電池パック。
【請求項５】
請求項１に記載の電池パックにおいて、
外部に接続された電子機器と通信を行う通信端子を有し、
上記制御部は、
上記改造を検出した場合に、上記電子機器に設けられた表示部に上記改造の警告を表示する命令を、上記通信端子を介して上記電子機器に供給する
ことを特徴とする電池パック。
【請求項６】
１または複数の電池の電圧、充放電電流および温度を検出する検出ステップと、
上記電圧および上記充放電電流に基づき、上記電池の満充電容量を算出する制御ステップと、
外部に接続された負荷の負荷量および上記温度と満充電容量の差分とが関連付けられたテーブルと、上記制御部で算出された満充電容量とを記憶部に記憶する記憶ステップと
を有し、
上記制御ステップは、
最新の満充電容量および該満充電容量の前回に算出された満充電容量に基づき、実際の満充電容量の変動量を算出し、
上記記憶部に記憶された上記テーブルを参照して、推定された満充電容量の変動量を算出し、
上記実際の満充電容量の変動量と上記推定された満充電容量の変動量とを比較し、
上記実際の満充電容量の変動量が上記推定された満充電容量の変動量よりも大きい場合には、改造されていることを検出する
ことを特徴とする検出方法。
【発明の詳細な説明】
【技術分野】
【０００１】
この発明は、改造の有無を検出する電池パックおよび検出方法に関する。
【背景技術】
【０００２】
近年、ノート型ＰＣ（Personal Computer）や携帯電話、ＰＤＡ(Personal Digital Assistants)等の携帯型電子機器が普及し、その電源として高電圧、高エネルギー密度、軽量といった利点を有するリチウムイオン二次電池が広く使用されている。
【０００３】
二次電池は、充放電を繰り返すにつれて劣化し、電池容量が減少してしまう。さらに、長期間、例えば数年程度使用した場合には、電池容量が減少する度合が大きくなり、この二次電池は使用不可能となってしまう場合がある。
【０００４】
このような二次電池において、現在の電池容量が未使用時の電池容量に比べてどの程度減少しているかということは、電池パックの外観などからは判断することができない。そのため、従来は、実際の電池容量や未使用時に対する劣化状態を測定し、測定された電池容量そのものや、電池容量や劣化状態に基づき算出された電池の残容量等を、電池パックが接続される電子機器などに設けられた表示部等に表示するようにしている。
【０００５】
このように、二次電池の実際の電池容量を測定し、外部に接続された電子機器等に表示することができる電池パックに関する技術が下記の特許文献１に記載されている。
【０００６】
【特許文献１】特許第３６７２２４８号公報
【発明の開示】
【発明が解決しようとする課題】
【０００７】
ところで、二次電池を用いた電池パックにおいて、上述の特許文献１に記載された方法を用いて実際の電池容量を測定することにより、ユーザは、電池の交換時期を知ることができるが、このような場合に二次電池の劣化を解消し、未使用時と同様の電池容量を確保するためには、電池パック内に設けられた電池セルを交換する必要がある。
【０００８】
一方、例えばリチウムイオン二次電池の場合、内部に蓄えられるエネルギーが大きいので、安全性を考慮せずに不正に電池セルを交換して電池パックを使用することは非常に危険である。そのため、電池パックの製造メーカは、一般に、電池パックの製造者以外がセルを交換することを保証していない。また、ユーザなどの製造者以外が電池パックを不正に改造することにより被害が発生した場合、訴訟問題に発展してしまうおそれがある。
【０００９】
しかしながら、ユーザなどの電池パックの製造者以外が不正に電池セルを交換した場合であっても、電池パックやこの電池パックを使用する電子機器では、改造を電気的に検出することができず、不正に改造された電池パックであっても、正規に製造された電池パックと同様に使用可能となってしまうという問題点があった。
【００１０】
したがって、この発明の目的は、改造を検出することができる電池パックおよびその検出方法を提供することにある。
【課題を解決するための手段】
【００１１】
上述した課題を解決するために、第１の発明は、１または複数の電池と、電池の電圧、充放電電流および温度を検出する検出部と、電圧および充放電電流に基づき、電池の満充電容量を算出する制御部と、外部に接続された負荷の負荷量および温度と満充電容量の差分とが関連付けられたテーブルと、制御部で算出された満充電容量とを記憶する記憶部とを有し、制御部は、最新の満充電容量および満充電容量の前回に算出された満充電容量に基づき、実際の満充電容量の変動量を算出し、記憶部に記憶されたテーブルを参照して、推定された満充電容量の変動量を算出し、実際の満充電容量の変動量と推定された満充電容量の変動量とを比較し、実際の満充電容量の変動量が推定された満充電容量の変動量よりも大きい場合には、改造されていることを検出することを特徴とする電池パックである。
【００１２】
また、第２の発明は、１または複数の電池の電圧、充放電電流および温度を検出する検出ステップと、電圧および充放電電流に基づき、電池の満充電容量を算出する制御ステップと、外部に接続された負荷の負荷量および温度と満充電容量の差分とが関連付けられたテーブルと、制御部で算出された満充電容量とを記憶部に記憶する記憶ステップとを有し、制御ステップは、最新の満充電容量および満充電容量の前回に算出された満充電容量に基づき、実際の満充電容量の変動量を算出し、記憶部に記憶されたテーブルを参照して、推定された満充電容量の変動量を算出し、実際の満充電容量の変動量と推定された満充電容量の変動量とを比較し、実際の満充電容量の変動量が推定された満充電容量の変動量よりも大きい場合には、改造されていることを検出することを特徴とする検出方法である。
【００１３】
上述したように、第１および第２の発明では、電圧および充放電電流に基づき算出された電池の最新の満充電容量および満充電容量の前回に算出された満充電容量に基づき算出された実際の満充電容量の変動量と、外部に接続された負荷の負荷量および温度と満充電容量の差分とが関連付けられたテーブルを参照して算出された、推定された満充電容量の変動量とを比較するようにしているため、電池パックが改造されているかどうかが判断される。
【発明の効果】
【００１４】
この発明は、最新の満充電容量および最新の満充電容量の前回に算出された満充電容量に基づき算出された実際の満充電容量の変動量と、テーブルを参照して算出された、推定された満充電容量の変動量とを比較することにより、電池パックの改造を検出することができるという効果がある。
【発明を実施するための最良の形態】
【００１５】
以下、この発明の実施の一形態による電池パック１について、図１を参照して説明する。電池パック１は、正極端子２および負極端子３がそれぞれ外部の負荷／充電器４の正極端子および負極端子に接続され、充放電が行われる。電池パック１は主に、二次電池１１、電圧検出部１２、電流検出部１３、制御部１４、記憶部としてのメモリ１５、充放電制御部１６およびスイッチ回路１７を備える。
【００１６】
二次電池１１は、リチウムイオン二次電池等の二次電池であり、複数の電池セルを直列および／または並列に接続したものである。この例では、電池セルが２並列３直列に接続された場合を示す。電圧検出部１２は、二次電池１１および二次電池１１内の電池セルそれぞれの電圧を所定時間毎に測定し、制御部１４に測定値を供給する。電流検出部１３は、電流検出抵抗１９を流れる電流の大きさおよび向きを所定時間毎に測定し、制御部１４に測定値を供給する。
【００１７】
制御部１４は、図示しないＲＯＭ（Read Only Memory）に予め格納されたプログラムに従い、図示しないＲＡＭ（Random Access Memory）をワークメモリとして各部を制御する。制御部１４は、電圧検出部１２および電流検出部１３から入力された電圧値および電流値と、サーミスタ等の温度検出素子２０で測定した電池温度とに基づき、二次電池１１の過充電や過放電を制御するための命令を充放電制御部１６に供給する。
【００１８】
また、制御部１４は、上述の電流値を使用して電流値の積算を行い、電池パック１のＦＣＣ（Full Charge Capacity）の算出を行う。ここで、ＦＣＣとは、完放電から満充電までの容量、または満充電から完放電までの満充電容量を示す。そして、制御部１４は、ＦＣＣの算出結果をメモリ１５に供給し、記憶させる。なお、ＦＣＣの算出方法については、公知の方法を用いることができるが、例えば、満充電とされた電池パック１に一定の負荷量の負荷を接続し、電力が完放電するまで放電した場合に、電流検出抵抗１９に流れる放電電流に時間を乗じたものを積算することによって算出することができる。
【００１９】
メモリ１５には、例えば、不揮発性のメモリであるＥＥＰＲＯＭ（Electrically Erasable and Programmable Read Only Memory）が用いられ、上述のようにして制御部１４で算出されたＦＣＣが記憶される。また、メモリ１５には、最新のＦＣＣおよび最新のＦＣＣの前回に算出されたＦＣＣを記憶することができ、ＦＣＣの算出毎に、新しいＦＣＣの値が古いＦＣＣの値の上に順次上書きされるようになっている。さらに、メモリ１５には、改造を検出する際に用いるテーブルが記憶されている。このテーブルの詳細については、後述する。なお、以下では、新しいＦＣＣの値をＣnewと称し、古いＦＣＣの値をＣpreと称する。
【００２０】
充放電制御部１６は、二次電池１１のいずれかのセルの電圧が過充電検出電圧になったときや、二次電池１１の電圧が過放電検出電圧以下になったとき、制御部１４からの命令に基づき、スイッチ回路１７に制御信号を送ることにより、過充電、過放電を防止する。また、充放電制御部１６は、制御部１４からの命令に基づきヒューズ１８を溶断するように制御する。ここで、リチウムイオン電池の場合、過充電検出電圧が例えば４．２Ｖ±０．５Ｖと定められ、過放電検出電圧が２．４Ｖ±０．１Ｖと定められる。
【００２１】
スイッチ回路１７は、充電制御ＦＥＴ（Field Effect Transistor）２１と、放電制御ＦＥＴ２２とから構成されている。電池電圧が過充電検出電圧となったときは、充電制御ＦＥＴ２１をＯＦＦとし、充電電流が流れないように制御される。なお、充電制御ＦＥＴ２１のＯＦＦ後は、寄生ダイオードを介することによって放電のみが可能となる。
【００２２】
また、電池電圧が過放電検出電圧となったときは、放電制御ＦＥＴ２２をＯＦＦとし、放電電流が流れないように制御される。なお、放電制御ＦＥＴ２２のＯＦＦ後は、寄生ダイオードを介することによって充電のみが可能となる。
【００２３】
次に、この発明の実施の一形態による改造検出方法について説明する。図２に示すように、例えばリチウムイオン二次電池の電池セルを２並列３直列に接続した二次電池１１を用いた電池パック１において、未使用時の電池パック１のＦＣＣは、４４００ｍＡｈとなる。また、充放電を２００サイクル行った場合のＦＣＣは、３６００ｍＡｈとなる。このように、一般に、二次電池の電池パックのＦＣＣは、充放電サイクル数が増加するに従って減少する。
【００２４】
また、電池パック１のＦＣＣは、電池パック１に接続された負荷の負荷量や二次電池１１の温度などの条件によって変化する。例えば、ＦＣＣは、一般に、電池パック１に接続される負荷の負荷量が小さくなるに従って大きくなり、二次電池１１の温度が高くなるに従って大きくなることが知られている。
【００２５】
このような電池パック１において、例えば、充放電サイクル数が増加して劣化した二次電池１１の電池セルを、未使用品と同等またはそれ以上の容量の電池セルに交換した場合、交換した電池セルを用いた電池パックのＦＣＣは、劣化した電池セルを用いた電池パックのＦＣＣに比べて大幅に増加すると考えられる。そのため、電池セル交換後のＦＣＣの変動量は、電池セル交換前のＦＣＣの変動量に比べて大幅に増加すると考えられる。
【００２６】
そこで、この発明の実施の一形態では、充放電の際に実際のＦＣＣの変動量を算出する。また、負荷量および温度に応じたＦＣＣのテーブルを設け、このテーブルを参照して推定されたＦＣＣの変動量を算出する。そして、実際のＦＣＣの変動量とテーブルを参照して算出されるＦＣＣの変動量とを比較することにより、実際のＦＣＣの変動量が正常であるかどうかを判断して電池パック１の改造を検出するようにした。
【００２７】
先ず、実際のＦＣＣの変動量ΔＣを算出する方法について説明する。電池パック１に対する改造を検出するために、充放電の際に電圧検出部１２で検出された二次電池１１の電圧と、電流検出部１３で検出された、電流検出抵抗１９に流れる充放電電流とに基づき、最新のＦＣＣの値であるＣnewが算出され、メモリ１５に記憶される。また、上述と同様にして、最新のＦＣＣの前回に算出されたＦＣＣの値であるＣpreが、メモリ１５に記憶されている。
【００２８】
さらに、メモリ１５には、ＣnewおよびＣpreを算出した際の、電池パック１に接続された負荷の負荷量および二次電池１１の温度に関する情報が記憶されている。なお、電池パック１に接続された負荷の負荷量は、例えば、図示しないが電池パック１の正極端子２および負極端子３の間の電圧を測定するとともに、電流検出抵抗１９に流れる充放電電流を測定し、これらの電圧および充放電電流を乗算することによって算出することができる。
【００２９】
そして、メモリ１５に記憶されたＣnewとＣpreとを用い、数式（１）に基づいて実際のＦＣＣの変動量ΔＣを算出する。
ΔＣ＝Ｃnew−Ｃpre  ・・・（１）
【００３０】
次に、推定されたＦＣＣの変動量を算出する際に用いられるテーブルについて説明する。図３に示すように、所定の充放電サイクル、例えば１サイクル目において、電池パック１に接続された負荷の負荷量および二次電池１１の温度を変化させた場合のＦＣＣと、基準となる所定の条件におけるＦＣＣとの差分を示すテーブルを用意し、予めメモリ１５に格納しておく。なお、この例では、この発明の実施の一形態に対する理解を容易とするため、テーブルに記載される基準値に対する差分値は、充放電サイクル数によらず固定的な値であるものとして説明する。
【００３１】
具体的には、例えば、電池パック１に接続される負荷の負荷量が１０［Ｗ］、５０［Ｗ］および７０［Ｗ］であり、二次電池１１の温度が１０［℃］、２５［℃］および４０［℃］である場合のＦＣＣを予め実験等により取得する。そして、例えば、負荷量が５０［Ｗ］で温度が２５［℃］である場合のＦＣＣを基準とし、この基準値と、負荷量および温度の条件を変化させた場合のＦＣＣとの差分を、それぞれの条件に対応するパラメータとしてテーブルに格納する。
【００３２】
そして、このテーブルを参照して、ＣnewおよびＣpreを算出した際の負荷量および温度の条件と一致する部分の値に基づき、推定されたＦＣＣの変動量を算出する。
【００３３】
したがって、このテーブルに基づき算出された、推定されたＦＣＣの変動量と、実際のＦＣＣの変動量ΔＣとが異なる場合には、電池セルが交換され、電池パック１が改造されたと判断することができる。
【００３４】
なお、テーブルに記載された値は実測値であり、測定誤差や電池パック１のロットによるバラツキが生じる場合があると考えられるので、改造しているかどうかを判断する際には、この誤差を考慮して、変動量に対して所定の割合、例えば変動量の２０％の範囲を超えた場合に改造を施したと判断すると好ましい。
【００３５】
なお、ＣnewおよびＣpreが算出された際の条件と一致する条件のパラメータがない場合には、例えば、算出した際の条件に近い条件のパラメータを参照するようにすればよい。
【００３６】
また、この例では、負荷量および温度をそれぞれ３点ずつ設定したテーブルを用意したが、これに限らず、例えば、設定する負荷量および温度の数を増やしてもよい。こうすることにより、改造検出の精度をより高くすることができる。
【００３７】
さらに、例えば、上述では、テーブルに格納される基準値に対する差分は、充放電サイクル数によらず固定的な値であるものとして説明したが、これはこの例に限られず、例えば、複数の充放電サイクル数に対応したテーブルをそれぞれ用意し、充放電サイクル数に応じて参照するテーブルを変えるようにしてもよい。こうすることにより、改造検出の精度をさらに高くすることができる。
【００３８】
ところで、上述では、テーブルを参照することにより、推定されたＦＣＣの変動量を算出するように説明したが、これはこの例に限られない。例えば、二次電池１１の所定温度における、負荷量とＦＣＣとの関係を示す近似式を予め制御部１４のプログラムに実装しておき、この近似式からＦＣＣを算出して、推定されたＦＣＣの変動量を算出するようにしてもよい。
【００３９】
例えば、二次電池１１の温度が所定の温度である場合に、負荷量を変化させた場合のＦＣＣを測定する実験等を行い、電池パック１に接続される負荷の負荷量ＬとＦＣＣとの関係を測定することにより、図４に示す結果が得られる。この測定結果から、ＦＣＣが負荷量Ｌによって変化することがわかる。
【００４０】
このＦＣＣの変化の度合は、負荷量Ｌの値によって異なり、図４に示す結果から、例えば負荷量が５０［Ｗ］までの場合には、ＦＣＣは、略一定の割合で減少し、また、負荷量が５０［Ｗ］を超える場合には、ＦＣＣが急激に減少している。
【００４１】
この結果から、二次電池１１の温度が所定の温度、例えば２５℃の場合で、負荷量が５０［Ｗ］までの場合、電池パック１に接続された負荷の負荷量Ｌを変化させた際のＦＣＣは、数式（２）に基づいて、負荷量Ｌの一次式で近似することができる。
ＦＣＣ＝−０．２１５６×Ｌ＋３９１７．６（Ｌ≦５０）  ・・・（２）
【００４２】
また、二次電池１１の温度が所定の温度、例えば２５℃のときで、負荷量が５０［Ｗ］を超える場合、電池パック１に接続された負荷の負荷量Ｌを変化させた際のＦＣＣは、数式（３）に基づいて、負荷量Ｌの二次式で近似することができる。
ＦＣＣ＝−０．２６２７×Ｌ2＋２６．５３７×Ｌ＋３２３６．９（Ｌ＞５０）  ・・・（３）
【００４３】
そして、それぞれの温度において、上述した実験と同様の実験を行い、負荷量ＬおよびＦＣＣの間の特性を示す近似式を取得する。こうすることにより、二次電池１１の温度および電池パック１に接続される負荷の負荷量に応じて推定されたＦＣＣを算出することができる。
【００４４】
具体的には、例えば、実際のＣnewおよびＣpreを算出した場合の負荷量および温度の条件と一致する近似式を用いて、推定されたＦＣＣをそれぞれ算出する。そして、この推定されたＦＣＣに基づき、推定されたＦＣＣの変動量を算出する。
【００４５】
このように、それぞれの温度に対して、負荷量とＦＣＣとの関係を示す近似式を制御部１４のプログラムに実装し、この近似式を用いて算出された、推定されたＦＣＣから推定されたＦＣＣの変動量を算出することにより、改造検出の精度をより高くすることができる。
【００４６】
なお、改造検出の精度をさらに高くするために、例えば、上述と同様の実験を充放電サイクル毎に行い、充放電サイクルに応じた近似式を取得し、制御部１４のプログラムに実装しておくようにしてもよい。
【００４７】
次に、この発明の実施の一形態による電池パック１における改造検出方法について、図５に示すフローチャートを参照して説明する。なお、ここでは、電圧、充放電電流および電池温度の測定が所定時間毎に行われるものとする。
【００４８】
電池パック１に負荷／充電器４が接続されると二次電池１１に対する充放電が開始され、ステップＳ１において、制御部１４は、電圧検出部１２および電流検出部１３から供給される電圧値および電流値に基づきＣnewを算出する。また、制御部１４は、上述のようにして算出したＣnewと、メモリ１５に記憶されている前回に算出されたＣpreとに基づき、実際のＦＣＣの変動量ΔＣを算出する。
【００４９】
ステップＳ２において、制御部１４は、メモリ１５に記憶された実際のＣnewおよびＣpreが算出された際の負荷量および温度の情報に基づきテーブルを参照して、同一条件における差分値を用いて、推定されたＦＣＣの変動量を算出する。そして、実際のＦＣＣの変動量ΔＣと、テーブルを参照して算出した、推定されたＦＣＣの変動量とを比較する。比較の結果、ΔＣが推定されたＦＣＣの変動量の範囲よりも大きい場合には、電池セルが交換されたと判断して改造を検出し、処理がステップＳ３に移行する。
【００５０】
ステップＳ３において、制御部１４は、例えばスイッチ回路１７を制御して、充放電が不可能となるようにする。より具体的には、例えば、制御部１４は、充放電制御部１６に対して充電制御ＦＥＴ２１および放電制御ＦＥＴ２２をＯＦＦにするとともに、ヒューズ１８を溶断するための命令を供給する。
【００５１】
ステップＳ４において、制御部１４は、改造を検出したことを示す情報をメモリ１５に記憶させ、一連の処理が終了する。なお、メモリ１５に記憶された情報は、例えば電池パック１を回収して、故障解析などを行う場合に用いることができる。
【００５２】
一方、ステップＳ２において、比較の結果、ΔＣが推定されたＦＣＣの変動量の範囲以下となる場合には、正常であると判断し、処理がステップＳ１に戻る。
【００５３】
このように、この発明の実施の一形態では、算出された実際のＦＣＣの変動量ΔＣと、テーブルを参照して得られる推定されたＦＣＣの変動量とを比較することにより、電池パック１が改造されたかどうかを検出することができる。
【００５４】
以上、この発明の実施の一形態について説明したが、この発明は、上述したこの発明の実施の一形態に限定されるものではなく、この発明の要旨を逸脱しない範囲内で様々な変形や応用が可能である。例えば、上述の実施の一形態において挙げた数値は、あくまでも例に過ぎず、必要に応じてこれと異なる数値を用いてもよい。
【００５５】
また、上述では、改造を検出した後の処理として、スイッチ回路１７を制御して充放電を不可能とするように説明したが、これはこの例に限られない。例えば、図示しないが、電池パック１にＬＥＤ（Light Emitting Diode）などの表示部を設け、ＬＥＤを点灯させたり点滅させることにより、ユーザに対して警告を表示し、製造者へ通知するように、ユーザを促すようにしてもよい。
【００５６】
さらに、例えば、電池パック１に外部と通信可能な通信端子を設け、電池パック１と外部の電子機器とを接続し、接続された電子機器に設けられた表示部等に警告を表示させるようにしたり、電子機器に対する操作を不可能とするように、電子機器のプログラムを制御するようにしてもよい。
【００５７】
また、この発明の実施の一形態では、二次電池１１として、リチウムイオン二次電池を用いた場合について説明したが、これに限らず、例えば、スーパーキャパシタを用いてもよい。すなわち、この発明の実施の一形態は、充放電を繰り返すことによりＦＣＣが減少する二次電池であれば、いずれの二次電池にも適用可能である。
【図面の簡単な説明】
【００５８】
【図１】この発明の実施の一形態による電池パックの一例の構成を示すブロック図である。
【図２】充放電サイクル数とＦＣＣとの関係の一例を示す略線図である。
【図３】電池パックに接続された負荷の負荷量および二次電池の温度を変化させた場合のＦＣＣと、基準となる所定の条件におけるＦＣＣとの差分を示すテーブルの一例を示す略線図である。
【図４】電池パックに接続された負荷の負荷量とＦＣＣとの関係の一例を示す略線図である。
【図５】この発明の実施の一形態による電池パックの制御部における改造検出方法の処理の流れの一例を示すフローチャートである。
【符号の説明】
【００５９】
１  電池パック
２  正極端子
３  負極端子
４  負荷／充電器
１１  二次電池
１２  電圧検出部
１３  電流検出部
１４  制御部
１５  メモリ
１６  充放電制御部
１７  スイッチ回路
１８  ヒューズ
１９  電流検出抵抗
２０  温度検出素子
２１  充電制御ＦＥＴ
２２  放電制御ＦＥＴ
【図１】
2008060032.tif 000003
【図２】
2008060032.tif 000004
【図３】
2008060032.tif 000005
【図４】
2008060032.tif 000006
【図５】
2008060032.tif 000007